(57)【要約】【課題】３方向以上について均一なパワーのＷＤＭ信号光を出力できる簡易な構成で低コストかつ低損失な多方向光分岐装置を実現する。【解決手段】本発明の多方向光分岐装置は、Ｎ個（Ｎ≧３）の光伝送路Ｆ１〜ＦＮに対して、２×Ｎ個の光多重／分離デバイス１１Ａ，１１Ｂ〜１ＮＡ，１ＮＢと、各々のブランチポート間を１対１に接続するブランチポート接続部２とを備え、各光伝送路Ｆ１〜ＦＮの入力側光路ＩＮから入力されるＷＤＭ信号光を波長グループＧ１〜ＧＮ−１にそれぞれ分離した後に、他の方向からの異なる波長グループの光信号と多重して所定の光伝送路の出力側光路ＯＵＴに出力する。【選択図】図１
2004297714.tif 000002
【特許請求の範囲】
【請求項１】
波長多重信号光を互いに異なる方向に伝送する上り回線および下り回線に対応した一対の光路を有するＮ個（Ｎ≧３）の光伝送路に接続され、該各光伝送路の入力側光路から入力される波長多重信号光を、Ｎ−１個の波長グループにそれぞれ分離した後に、他の方向からの異なる波長グループの光信号と多重して所定の光伝送路の出力側光路に出力する多方向光分岐装置であって、
前記Ｎ個の光伝送路の入力側光路および出力側光路のいずれかと１対１で接続する１つのコモンポートと、Ｎ−１個のブランチポートとを有し、コモンポートに入力される波長多重信号光を各波長グループに分離して対応するブランチポートから出力すると共に、各ブランチポートに入力される各波長グループに属する光信号を多重してコモンポートから出力することが可能な２×Ｎ個の光多重／分離デバイスと、
予め設定した接続ルールに従って、前記２×Ｎ個の光多重／分離デバイスの各ブランチポート間を１対１で接続するブランチポート接続部と、
を備えて構成されたことを特徴とする多方向光分岐装置。
【請求項２】
請求項１に記載の多方向光分岐装置であって、
前記ブランチポート接続部は、前記Ｎ個の光伝送路のうちの１つの光伝送路の入力側光路にコモンポートが接続された光多重／分離デバイスのブランチポートを、他の光伝送路の出力側光路にコモンポートが接続された光多重／分離デバイスのブランチポートと１対１で接続する第１の接続ルールと、同じ波長グループに対応したブランチポート同士を接続する第２の接続ルールと、前記Ｎ個の光伝送路のうちのいずれか２つを選択した組み合わせの全てについて、上り回線用の経路および下り回線用の経路がそれぞれ繋がるように各ブランチポート間を接続する第３の接続ルールとが同時に満たされるように、前記２×Ｎ個の光多重／分離デバイスの各ブランチポート間を１対１で接続することを特徴とする多方向光分岐装置。
【請求項３】
請求項１に記載の多方向光分岐装置であって、
前記Ｎ−１個の波長グループは、上り回線に割り当てられる波長グループ内の光信号の波長数と、下り回線に割り当てられる波長グループ内の光信号の波長数とが等しくなるように設定されたことを特徴とする多方向光分岐装置。
【請求項４】
請求項１に記載の多方向光分岐装置であって、
前記各光多重／分離デバイスの各々のブランチポート間を接続する光路上にそれぞれ設けられ、該光路を伝搬する光信号のパワーを調整する２×Ｎ個のパワー調整デバイスと、
前記各光多重／分離デバイスのコモンポートから前記光伝送路の出力側光路に出力される波長多重信号光の光スペクトルをそれぞれモニタする光スペクトルモニタ部と、
該各光スペクトルモニタ部のモニタ結果に応じて、前記各波長グループに属する光信号の平均パワーが略等しくなるように、前記各パワー調整デバイスをそれぞれ制御する制御部と、
を備えて構成されたことを特徴とする多方向光分岐装置。
【請求項５】
請求項１に記載の多方向光分岐装置であって、
前記各光伝送路の入力側光路と、該入力側光路に接続する前記各光多重／分離デバイスのコモンポートとの間に設けられたＮ個の光増幅器と、
該各光増幅器から出力される波長多重信号光のトータルパワーをそれぞれモニタする光パワーモニタ部と、
該各光パワーモニタ部でモニタされる波長多重信号光のトータルパワーが各方向に共通な所定のレベルで一定となるように、前記各光増幅器の駆動状態をそれぞれ制御する制御部と、
を備えて構成されたことを特徴とする多方向光分岐装置。
【発明の詳細な説明】
【０００１】
【発明の属する技術分野】
本発明は、波長の異なる１波以上の光信号を同一の光ファイバ中に多重化して伝送することにより大容量通信を実現する波長多重（ＷＤＭ）光伝送システムに利用される多方向光分岐装置に関するものである。
【０００２】
【従来の技術】
ＷＤＭ光伝送システムでは、例えば図１７に示すように、複数の地点（ここではＡ〜Ｃ地点とする）の各端局間でＷＤＭ信号光を送受信するとき、ＷＤＭ信号光を波長に応じて３つの方向へ分岐して出力する光分岐装置が光分岐ノードに用いられる場合がある。この光分岐装置は、光ブランチユニットやハブノードなどと呼ばれることもある。上記の光分岐装置におけるＷＤＭ信号光の分岐方法としては、例えば、入射されたＷＤＭ信号光を１波ごとに分離し、各波長の光信号を一度電気信号に変換した後、光信号に再変換して、所定の光ファイバに送出する方法がある。しかしながら、このような分岐方法では、ＷＤＭ信号光に含まれる各波長の光信号ごとに光電気変換を行う必要があるため、光分岐装置がコスト高になってしまうという欠点がある。
【０００３】
上記のような光分岐装置の欠点を解消するための従来技術として、例えば図１８に示すような３方向光分岐装置が提案されている（例えば、特許文献１参照）。この３方向光分岐装置１００では、４つの入出力ポートを持つＷＤＭカプラ１０１Ａ，１０１Ｂ，１０１Ｃを用いることによって、３つの方向に対応した各伝送用光ファイバペアＦ１，Ｆ２，Ｆ３から入力されるＷＤＭ信号光が、波長に応じて分岐されて他の方向の伝送用光ファイバペアからそれぞれ出力されるようになる。これにより、３つのＷＤＭカプラを組み合わせた簡易な構成で、低コストかつ低損失な光分岐装置が実現されている。
【０００４】
【特許文献１】
特開平９−１１６４９０号公報
【０００５】
【発明が解決しようとする課題】
しかしながら、上記の図１８に示したような従来の光分岐装置では、次のような問題点がある。
（１）４つ以上の方向に対するＷＤＭ信号光の分岐に対応できない。
（２）ＷＤＭカプラを２回通過する光パスと１回しか通過しない光パスが存在するため、それらの光パスを伝搬した光信号を合波した後のＷＤＭ信号光にパワーの不均一が生じてしまう。また、構成上の制約から、例えば可変光減衰器や光増幅器等のパワー調整手段を用いたとしても、上記のパワー不均一を補正することが難しい。
（３）ＷＤＭ信号光を長波長領域と短波長領域で分離するＷＤＭカプラでは、一般に急峻な光フィルタ特性（長波長側および短波長側に対する光通過特性）を実現することが難しいため、ＷＤＭ信号光の利用可能な波長帯域が制限されてしまう。具体的には、例えば図１９の光フィルタ特性に示すように、長波長側および短波長側の各光通過特性が遷移する波長領域には光信号を配置することができないため、長波長領域および短波長領域の間に一定の間隔を確保する必要があり、利用可能な波長帯域が制限されてしまうことになる。
【０００６】
本発明は、上記のような（１）〜（３）の問題点に着目してなされたもので、３方向以上について均一なパワーのＷＤＭ信号光を出力できる簡易な構成で低コストかつ低損失な多方向光分岐装置を実現することを目的とする。
【０００７】
【課題を解決するための手段】
上記の目的を達成するため、本発明にかかる多方向光分岐装置は、例えば図１に示すように、ＷＤＭ信号光を互いに異なる方向に伝送する上り回線および下り回線に対応した一対の光路を有するＮ個（Ｎ≧３）の光伝送路Ｆ１〜ＦＮに接続され、該各光伝送路Ｆ１〜ＦＮの入力側光路ＩＮから入力されるＷＤＭ信号光を、Ｎ−１個の波長グループＧ１〜ＧＮ−１にそれぞれ分離した後に、他の方向からの異なる波長グループの光信号と多重して所定の光伝送路の出力側光路ＯＵＴに出力する多方向光分岐装置であって、２×Ｎ個の光多重／分離デバイス１１Ａ，１１Ｂ，１２Ａ，１２Ｂ，…，１ＮＡ，１ＮＢと、ブランチポート接続部２とを備えて構成されるものである。各光多重／分離デバイス１１Ａ，１１Ｂ，１２Ａ，１２Ｂ，…，１ＮＡ，１ＮＢは、それぞれ、Ｎ個の光伝送路Ｆ１〜ＦＮの入力側光路ＩＮおよび出力側光路ＯＵＴのいずれかと１対１で接続する１つのコモンポートＰＣと、Ｎ−１個のブランチポートＰ１〜ＰＮ−１とを有し、コモンポートＰＣに入力されるＷＤＭ信号光を各波長グループＧ１〜ＧＮ−１に分離して対応するブランチポートＰ１〜ＰＮ−１から出力すると共に、各ブランチポートＰ１〜ＰＮ−１に入力される各波長グループＧ１〜ＧＮ−１に属する信号光を多重してコモンポートＰＣから出力することが可能な光通過特性を持つ。また、ブランチポート接続部２は、予め設定した接続ルールに従って、２×Ｎ個の光多重／分離デバイス１１１Ａ，１１１Ｂ〜１１ＮＡ，１１ＮＢの各ブランチポート間を１対１で接続する。
【０００８】
また、上記のブランチポート接続部については、次の第１〜第３の接続ルールが同時に満たされるように、２×Ｎ個の光多重／分離デバイスの各ブランチポート間を１対１で接続するのがよい。
【０００９】
第１の接続ルール：Ｎ個の光伝送路のうちの１つの光伝送路の入力側光路にコモンポートが接続された光多重／分離デバイスのブランチポートを、他の光伝送路の出力側光路にコモンポートが接続された光多重／分離デバイスのブランチポートと１対１で接続する。
【００１０】
第２の接続ルール：同じ波長グループに対応したブランチポート同士を接続する。
第３の接続ルール：Ｎ個の光伝送路のうちのいずれか２つを選択した組み合わせの全てについて、上り回線用の経路および下り回線用の経路がそれぞれ繋がるように各ブランチポート間を接続する。
【００１１】
かかる構成の多方向光分岐では、Ｎ方向に対応した各光伝送路Ｆ１〜ＦＮの入力側光路ＩＮから光多重／分離デバイス１１Ａ，１２Ａ，…，１ＮＡのコモンポートＰＣに入力されるＷＤＭ信号光が波長グループＧ１〜ＧＮ−１ごとに分離されて対応するブランチポートＰ１〜ＰＮ−１に出力される。各光多重／分離デバイス１１Ａ，１２Ａ，…，１ＮＡのブランチポートＰ１〜ＰＮ−１に出力された各々の波長グループＧ１〜ＧＮ−１に属する光信号は、ブランチポート接続部２により１対１で接続された光多重／分離デバイス１１Ｂ，１２Ｂ，…，１ＮＢの各ブランチポートＰ１〜ＰＮ−１に送られて多重され、その光多重／分離デバイス１１Ｂ，１２Ｂ，…，１ＮＢのコモンポートＰＣから各光伝送路Ｆ１〜ＦＮの出力側光路ＯＵＴに出力されるようになる。
【００１２】
これにより、波長グループＧ１〜ＧＮ−１ごとに纏めて光信号を分離および多重できるため、簡易な構成で低コストかつ低損失な光分岐装置が実現されると共に、装置内を伝搬する光信号は必ず２つの光多重／分離デバイスを通過するようになるので、各光伝送路Ｆ１〜Ｆ３の出力側光路ＯＵＴに出力されるＷＤＭ信号光のパワーバランスを容易に取ることも可能になる。
【００１３】
【発明の実施の形態】
以下、本発明の実施の形態を図面に基づいて説明する。なお、全図を通して同一の符号は同一または相当部分を示すものとする。
【００１４】
図２は、本発明の第１実施形態による多方向光分岐装置の構成図である。
図２において、本実施形態の多方向光分岐装置１０は、例えば、１つのコモンポートＰＣおよび２つのブランチポートＰ１，Ｐ２を有する６個の光多重／分離デバイス１１１Ａ，１１１Ｂ，１１２Ａ，１１２Ｂ，１１３Ａ，１１３Ｂを使用して、３つの方向に対応した光伝送路としての光ファイバペアＦ１，Ｆ２，Ｆ３から入力されるＷＤＭ信号光を２つの波長グループＧ１，Ｇ２に分離して、他の方向からの異なる波長グループの光信号と多重して所定の光ファイバペアに出力する。この３方向光分岐装置１０は、例えば、前述の図１７に示したＷＤＭ光伝送システムの光分岐ノードに用いられる。
【００１５】
光多重／分離デバイス１１１Ａ，１１１Ｂは、光ファイバペアＦ１に対応させて設けられ、光多重／分離デバイス１１１ＡのコモンポートＰＣには光ファイバペアＦ１の入力側光路に該当する入力ファイバＩＮが接続され、光多重／分離デバイス１１１ＢのコモンポートＰＣには光ファイバペアＦ１の出力側光路に該当する出力ファイバＯＵＴが接続される。これと同様にして、光多重／分離デバイス１１２Ａ，１１２Ｂの各コモンポートＰＣには、光ファイバペアＦ２の入力ファイバＩＮおよび出力ファイバＯＵＴがそれぞれ接続され、光多重／分離デバイス１１３Ａ，１１３Ｂの各コモンポートＰＣには、光ファイバペアＦ３の入力ファイバＩＮおよび出力ファイバＯＵＴがそれぞれ接続される。各光多重／分離デバイス１１１Ａ，１１１Ｂ〜１１３Ａ，１１３Ｂの各々のブランチポートＰ１，Ｐ２は、ブランチポート接続部１２により前述した第１〜第３の接続ルールに従って１対１で接続される。このブランチポート間の１対１の接続方法については後述する。
【００１６】
各光多重／分離デバイス１１１Ａ，１１１Ｂ〜１１３Ａ，１１３Ｂは、それぞれ、利用可能な波長帯域にある複数の光信号を含んだＷＤＭ信号光がコモンポートＰＣに入力された場合に、そのＷＤＭ信号光を２つの波長グループＧ１，Ｇ２に分離して対応するブランチポートＰ１，Ｐ２から出力する。また、各波長グループＧ１，Ｇ２に属する光信号が当該波長グループに対応するブランチポートＰ１，Ｐ２に入力され場合には、入力された各波長グループＧ１，Ｇ２の光信号を多重してコモンポートＰＣから出力する。
【００１７】
上記のような光多重／分離の機能を備えた具体的なデバイスとしては、例えば、融着型ＷＤＭカプラや誘電体多層膜フィルタを用いたバルクタイプのＷＤＭカプラ等を使用することができる。また例えば、マッハツェンダ干渉計またはＧＴ干渉計などを応用した光インターリーバ等を使用することも可能である。
【００１８】
図３および図４は、光多重／分離デバイス１１１Ａ，１１１Ｂ〜１１３Ａ，１１３ＢとしてＷＤＭカプラを使用する場合に実現される機能および特性を例示したものである。ＷＤＭカプラの各ポート間の光通過特性は、図４に示すように、コモンポートＰＣおよびブランチポートＰ１間における損失（実線）が短波長側で小さくなり、コモンポートＰＣおよびブランチポートＰ２間における損失（破線）が長波長側で小さくなる。このため、各ブランチポートＰ１，Ｐ２に対応した光通過特性の遷移する領域を境として、短波長側に属する光信号が波長グループＧ１に設定され、長波長側に属する光信号が波長グループＧ２に設定される。このような波長グループＧ１，Ｇ２の設定により、図３の左側に示したような波長λ１〜λ６の光信号を含んだＷＤＭ信号光がコモンポートＰＣに入力されると、図３の右下に示したように波長グループＧ１に属する波長λ１〜λ３の光信号がブランチポートＰ１から出力されると共に、図３の右上に示したように波長グループＧ２に属する波長λ４〜λ６の光信号がブランチポートＰ２から出力される。また、これとは逆に、波長λ１〜λ３の光信号がブランチポートＰ１に入力され、波長λ４〜λ６の光信号がブランチポートＰ２に入力されると、波長λ１〜λ６の光信号を多重したＷＤＭ信号光がコモンポートＰＣから出力される。
【００１９】
図５および図６は、光多重／分離デバイス１１１Ａ，１１１Ｂ〜１１３Ａ，１１３Ｂとして光インターリーバを使用する場合に実現される機能および特性を例示したものである。光インターリーバは、図６に示すように、コモンポートＰＣおよびブランチポートＰ１間の光通過特性（実線）と、コモンポートＰＣおよびブランチポートＰ２間の光通過特性（破線）とが、波長に対して櫛歯状に周期的に変化し、等波長間隔で配置された複数の光信号を交互に多重／分離することができる。このような光インターリーバの特性に対応し、ここでは等間隔に配置された波長λ１〜λ８の光信号について、奇数波長の光信号が波長グループＧ１に設定され、偶数波長の光信号が波長グループＧ２に設定される。このような波長グループＧ１，Ｇ２の設定により、図５の左側に示したような波長λ１〜λ８の光信号を含んだＷＤＭ信号光がコモンポートＰＣに入力されると、図５の右下に示したように波長グループＧ１に属する波長λ１，λ３，λ５，λ７の光信号がブランチポートＰ１から出力されると共に、図５の右上に示したように波長グループＧ２に属する波長λ２，λ４，λ６，λ８の光信号がブランチポートＰ２から出力される。また、これとは逆に、奇数波長の光信号がブランチポートＰ１に入力され、偶数波長の光信号がブランチポートＰ２に入力されると、波長λ１〜λ８の光信号を多重したＷＤＭ信号光がコモンポートＰＣから出力される。
【００２０】
なお、光多重／分離デバイス１１１Ａ，１１１Ｂ〜１１３Ａ，１１３ＢとしてＷＤＭカプラを使用する場合には、短波長側領域と長波長側領域との間に所要の幅の遷移領域が生じ、この遷移領域内には光信号を配置するができなくなるため、利用可能な波長帯域が制限されるという欠点がある。一方、光インターリーバを使用する場合には、各ポート間の光通過特性が急峻に遷移するので、上記のような波長帯域が制限されるという欠点は解消される。
【００２１】
ここで、光多重／分離デバイス１１１Ａ，１１１Ｂ〜１１３Ａ，１１３Ｂの各ブランチポートＰ１，Ｐ２の接続方法について具体的に説明する。
前述したように、各ブランチポートＰ１，Ｐ２間は、ブランチポート接続部２により第１〜第３の接続ルール（ただし、Ｎ＝３とする）に従って１対１で接続される。具体的には、第１の接続ルールとして、光ファイバペアＦ１〜Ｆ３のうちのある光ファイバペアＦｊ（ｊ＝１〜３）の入力ファイバＩＮに接続された光多重／分離デバイス１１ｊＡのブランチポートＰ１，Ｐ２を、他の光ファイバペアＦｋ（ｋ≠ｊ）の出力ファイバＯＵＴに接続された光多重／分離デバイス１１ｋＢのブランチポートＰ１，Ｐ２と１対１で接続する。
【００２２】
また、第２の接続ルールとして、同じ波長グループに対応したブランチポート同士、すなわち、波長グループＧ１のインデックス「１」に対応したブランチポートＰ１同士を接続すると共に、波長グループＧ２のインデックス「２」に対応したブランチポートＰ２同士を接続する。これは言い換えると、異なる波長グループインデックスを持つブランチポートＰ１，Ｐ２間は接続禁止とする。
【００２３】
さらに、第３の接続ルールとして、光ファイバペアＦ１〜Ｆ３のうちのいずれか２つを選択した組み合わせ（Ｆｌ，Ｆｍ）（ただし、ｍ≠ｌおよびｌ，ｍ＝１〜３）の全てについて、上り回線用の経路と、下り回線用の経路とがそれぞれ繋がるようにブランチポート間を接続する。すなわち、コモンポートＰｃが共に入力ファイバＩＮに接続された光多重／分離デバイス１１ｌＡ，１１ｍＡのブランチポート間、または、コモンポートＰｃが共に出力ファイバＯＵＴに接続された光多重／分離デバイス１１ｌＢ，１１ｍＢのブランチポート間は接続禁止とする。
【００２４】
上記のような第１〜第３の接続ルールが全て満たされるように、光多重／分離デバイス１１１Ａ，１１１Ｂ〜１１３Ａ，１１３Ｂの合計１２個のブランチポートＰ１，Ｐ２間を１対１で接続したときのポート接続表を次の表２に示す。
【００２５】
【表１】
2004297714.tif 000003
上記の表１において、○印は、１対１で接続されるブランチポートを示し、×印は、○印のブランチポートに対応して非接続とされるブランチポートを示し、−印は、接続が禁止されるブランチポートを示している。このようなブランチポート間の接続により、３方向の光ファイバペアＦ１〜Ｆ３に対して形成される光パスについての波長グループＧ１，Ｇ２の割り当ては、次の表２に示すような設定となる。
【００２６】
【表２】
2004297714.tif 000004
表２に示すように、光ファイバペアＦ１の入力ファイバＩＮからのＷＤＭ信号光は、波長グループＧ１に属する光信号が光ファイバペアＦ２の出力ファイバＯＵＴに出力され、波長グループＧ２に属する光信号が光ファイバペアＦ３の出力ファイバＯＵＴに出力される。また、光ファイバペアＦ２の入力ファイバＩＮからのＷＤＭ信号光は、波長グループＧ１に属する光信号が光ファイバペアＦ３の出力ファイバＯＵＴに出力され、波長グループＧ２に属する光信号が光ファイバペアＦ１の出力ファイバＯＵＴに出力される。さらに、光ファイバペアＦ３の入力ファイバＩＮからのＷＤＭ信号光は、波長グループＧ１に属する光信号が光ファイバペアＦ１の出力ファイバＯＵＴに出力され、波長グループＧ２に属する光信号が光ファイバペアＦ２の出力ファイバＯＵＴに出力される。
【００２７】
このような波長グループＧ１，Ｇ２の割り当てによって、３方向の光ファイバペアＦ１〜Ｆ３の互いの間で上下回線が確保されるようになる。例えば、光ファイバペアＦ１から光ファイバペアＦ２への光パスには波長グループＧ１が割り当てられ、その逆の光ファイバペアＦ２から光ファイバペアＦ１への光パスには波長グループＧ２が割り当てられることで、光ファイバペアＦ１，Ｆ２の間で波長グループの異なる上下回線が確保される。
【００２８】
なお、上記のように光ファイバペアＦ１〜Ｆ３の間で確保される上下回線については、通常、等しい伝送容量を割り当てる必要がある。このため、波長グループＧ１に含まれる光信号の波長数が波長グループＧ２に含まれる波長数よりも多く設定されるか、または、少なく設定されると、少ない方の波長数によって全体で利用可能な波長数が制限されることになる。従って、各波長グループＧ１，Ｇ２の設定は、各々に含まれる波長数が等しくなるように行うことが望ましく、これにより波長帯域を最も有効に利用することが可能になる。
【００２９】
上述したような第１実施形態の３方向光分岐装置１０によれば、６個の光多重／分離デバイス１１１Ａ，１１１Ｂ〜１１３Ａ，１１３Ｂを使用して、予め定めた波長グループＧ１，Ｇ２ごとに纏めて光信号を分離および多重することができるようになるので、これまでのようにＷＤＭ信号光を１波ごとに分離した後に再多重して所要の方向に送出するといった処理が不要となり、複雑な配線を行う必要がなくなるため、簡易な構成で低コストかつ低損失な光分岐装置を実現することが可能になる。
【００３０】
また、上述の図１８に示したような３つのＷＤＭカプラを用いた従来の３方向光分岐装置に比べて、本実施形態の３方向光分岐装置１０では、装置内の各光パスを通過する光信号は、必ず２つの光多重／分離デバイスを通過して同じ量の損失を受けるため、光ファイバペアＦ１〜Ｆ３の出力ファイバＯＵＴに出力されるＷＤＭ信号光のパワーバランス（合波後の波長グループＧ１の光信号パワーと波長グループＧ２の光信号パワーと間のバランス）を容易に取ることも可能になる。さらに、各光多重／分離デバイスにおける損失にばらつきがあり、各光パスを通過する光信号が必ずしも同じ量の損失を受けない状態になったとしても、本光分岐装置１０の構成上、例えば可変光減衰器や光増幅器などパワー調整手段を設けて、各波長グループＧ１，Ｇ２間の光信号パワーの偏差を補償することも可能である。このパワー調整手段を設けた実施形態については後述することにする。
【００３１】
次に、本発明の第２実施形態による多方向光分岐装置について説明する。
図７は、第２実施形態の多方向光分岐装置の構成図である。
図７において、本多方向光分岐装置２０は、例えば、１つのコモンポートＰＣおよび３つのブランチポートＰ１，Ｐ２，Ｐ３を有する８個の光多重／分離デバイス２１１Ａ，２１１Ｂ，２１２Ａ，２１２Ｂ，２１３Ａ，２１３Ｂ，２１４Ａ，２１４Ｂを使用して、４つの方向に対応した光ファイバペアＦ１，Ｆ２，Ｆ３，Ｆ４から入力されるＷＤＭ信号光を３つの波長グループＧ１，Ｇ２，Ｇ３に分離して、他の方向からの異なる波長グループの光信号と多重して所定の光ファイバペアに出力する。
【００３２】
この４方向光分岐装置２０についても、上述した３方向光分岐装置１０の構成と同様にして、光多重／分離デバイス２１１Ａ，２１１Ｂの各コモンポートＰＣには光ファイバペアＦ１の入力ファイバＩＮおよび出力ファイバＯＵＴがそれぞれ接続され、光多重／分離デバイス２１２Ａ，２１２Ｂの各コモンポートＰＣには光ファイバペアＦ２の入力ファイバＩＮおよび出力ファイバＯＵＴがそれぞれ接続される。また、光多重／分離デバイス２１３Ａ，２１３Ｂの各コモンポートＰＣには光ファイバペアＦ３の入力ファイバＩＮおよび出力ファイバＯＵＴがそれぞれ接続され、光多重／分離デバイス２１４Ａ，２１４Ｂの各コモンポートＰＣには光ファイバペアＦ４の入力ファイバＩＮおよび出力ファイバＯＵＴがそれぞれ接続される。そして、８個の光多重／分離デバイス２１１Ａ，２１１Ｂ〜２１４Ａ，２１４Ｂの各ブランチポートＰ１〜Ｐ３（合計２４個）は、ブランチポート接続部２２により第１〜第３の接続ルールに従って１対１で接続される。
【００３３】
各光多重／分離デバイス２１１Ａ，２１１Ｂ〜２１４Ａ，２１４Ｂは、それぞれ、利用可能な波長帯域にある複数の光信号を含んだＷＤＭ信号光がコモンポートＰＣに入力された場合に、そのＷＤＭ信号光を３つの波長グループＧ１〜Ｇ３に分離して対応するブランチポートＰ１〜Ｐ３から出力する。また、各波長グループＧ１〜Ｇ３に属する光信号が当該波長グループに対応するブランチポートＰ１〜Ｐ３に入力され場合には、入力された各波長グループＧ１〜Ｇ３の光信号を多重してコモンポートＰＣから出力する。
【００３４】
上記のような機能を実現するための各光多重／分離デバイス２１１Ａ，２１１Ｂ〜２１４Ａ，２１４Ｂについては、例えば図８の中央部分に示すように、１つのコモンポートｐＣと２つのブランチポートｐ１，ｐ２を有する光インターリーバ２１ａ，２１ｂをカスケード接続することにより実現することが可能である。具体的に、前段の光インターリーバ２１ａは、そのコモンポートｐＣが光多重／分離デバイスとしてのコモンポートＰＣとされ、ブランチポートｐ１が後段の光インターリーバ２１ｂのコモンポートｐＣに接続され、ブランチポートｐ２が光多重／分離デバイスとしてのブランチポートＰ２とされる。後段の光インターリーバ２１ｂの２つのブランチポートｐ１，ｐ２は、それぞれ、光多重／分離デバイスとしてのブランチポートＰ１，Ｐ３とされる。
【００３５】
前段の光インターリーバ２１ａは、例えば図９に示すような各ポート間の光通過特性を有し、ブランチポートｐ１に対して奇数波長の光信号が入出力され、ブランチポートｐ２に対して偶数波長の光信号が入出力される。一方、後段の光インターリーバ２１ｂは、例えば図１０に示すように、前段の光インターリーバ２１ａの光通過特性に比べて２倍の周期で変化する光通過特性を有し、前段の光インターリーバ２１ａからの奇数波長の光信号をさらに２つに分離して、波長λ１，λ５の光信号をブランチポートｐ１に出力し、波長λ３，λ７の光信号をブランチポートｐ２に出力することが可能である。
【００３６】
このような光インターリーバ２１ａ，２１ｂからなる光多重／分離デバイスの特性に対応し、ここでは等間隔に配置された波長λ１〜λ８の光信号について、波長λ１，λ５の光信号が波長グループＧ１に設定され、偶数波長λ２，λ４，λ６，λ８の光信号が波長グループＧ２に設定され、波長λ３，λ７の光信号が波長グループＧ３に設定される。このような波長グループＧ１〜Ｇ３の設定により、図８の左側に示したような波長λ１〜λ８の光信号を含んだＷＤＭ信号光が光多重／分離デバイスのコモンポートＰＣに入力されると、波長グループＧ１に属する波長λ１，λ５の光信号がブランチポートＰ１から出力され（図８の右下）、波長グループＧ２に属する波長λ２，λ４，λ６，λ８の光信号がブランチポートＰ２から出力され（図８の右上）、さらに、波長グループＧ３に属する波長λ３，λ７の光信号がブランチポートＰ３から出力される（図８の右中央）。また、これとは逆に、波長λ１，λ５の光信号がブランチポートＰ１に入力され、偶数波長の光信号がブランチポートＰ２に入力され、波長λ３，λ７の光信号がブランチポートＰ３に入力されると、波長λ１〜λ８の光信号を多重したＷＤＭ信号光がコモンポートＰＣから出力される。
【００３７】
各光多重／分離デバイス２１１Ａ，２１１Ｂ〜２１４Ａ，２１４Ｂの各々のブランチポートＰ１〜Ｐ３間は、ブランチポート接続部２２により、第１〜第３の接続ルールに従って１対１で接続され、その具体的な接続方法は、上述した第１実施形態の場合と同様にして考えることができる。このため、ここでは４方向光分岐装置２０におけるポート接続表を次の表３に示すと共に、光ファイバペアＦ１〜Ｆ４に対して形成される光パスについての波長グループＧ１，Ｇ２の割り当てを表４に示すことにより、具体的な説明を省略する。
【００３８】
【表３】
2004297714.tif 000005
【００３９】
【表４】
2004297714.tif 000006
上記のように第２実施形態の４方向光分岐装置２０によれば、８個の光多重／分離デバイス２１１Ａ，２１１Ｂ〜２１４Ａ，２１４Ｂを組み合わせることで３つの波長グループＧ１〜Ｇ３ごとに光信号を分離および多重することができるようになるため、４つの方向に対応した構成についても上述した第１実施形態の場合と同様の効果を得ることができる。さらに、第２実施形態の４方向光分岐装置２０と同様にして、５つ以上の方向に対応した光分岐装置を実現することも可能であり、本発明はＮ方向（Ｎ≧３）に対応した光分岐装置について有効である。
【００４０】
なお、上述した各実施形態では、Ｎ方向に対応した光分岐装置について、２×Ｎ個の光多重／分離デバイスが、１個のコモンポートＰＣとＮ−１個のブランチポートＰ１〜ＰＮ−１を持つ場合について説明したが、光多重／分離デバイスが物理的に１つのコモンポートＰＣとＭ個（Ｍ＞Ｎ−１）のブランチポートＰ１〜ＰＭを持つ場合についても、Ｍ個のブランチポートＰ１〜ＰＭをグルーピングして仮想的にＮ−１個のブランチポートと見なして、各々のブランチポート間を接続することが可能である。
【００４１】
図１１は、上記のような考え方を前述の図７に示した４方向光分岐装置２０について適用した場合の一例を示す構成図である。図１１に示す４方向光分岐装置２０’では、１つのコモンポートＰｃと４個のブランチポートＰ１〜Ｐ４を有する８個の光多重／分離デバイス２１１Ａ’，２１１Ｂ’〜２１４Ａ’，２１４Ｂ’が使用される。これらの光多重／分離デバイス２１１Ａ’，２１１Ｂ’〜２１４Ａ’，２１４Ｂ’は、それぞれ図１２の中央部分に示すように、１つのコモンポートｐＣと２つのブランチポートｐ１，ｐ２を有する３個の光インターリーバ２１ａ，２１ｂ，２１ｃを使用して、光インターリーバ２１ａと、光インターリーバ２１ｂおよび２１ｃとを２段にカスケード接続して構成される。この構成は、前述の図８に示した光多重／分離デバイスの構成について、光インターリーバ２１ａのブランチポートＰ２の先に光インターリーバ２１ｃを追加したものであり、この光インターリーバ２１ｃは、例えば図１３に示すように、光インターリーバ２１ｂの光通過特性（図１０）と同様の特性を持つものである。
【００４２】
このような構成の光多重／分離デバイスでは、光インターリーバ２１ｂ，２１ｃの合計４個のブランチポートが物理的に存在することになるが、それら４個のブランチポートのうちの２つ（ここでは、例えば光インターリーバ２１ｃのブランチポートｐ１，ｐ２）を仮想的に１つのブランチポートＰ２と見なして（図１２）、他の光多重／分離デバイスのブランチポートとの接続を行うことが可能である（図１１）。このようなブランチポートの仮想的なグルーピングによるメリットは、例えば、各光ファイバペアＦ１〜Ｆ４の入力ファイバＩＮおよび出力ファイバＯＵＴ間の回線容量を調整することができるという自由度が生じる点である。
【００４３】
次に、本発明の第３実施形態による多方向光分岐装置について説明する。ここでは、光ファイバペアに出力されるＷＤＭ信号光の各波長グループに対応した光信号パワーのバランスが高い精度で均一になるようにした応用例を説明する。
【００４４】
図１４は、第３実施形態の多方向光分岐装置の構成図である。
図１４に示す多方向光分岐装置１０’は、例えば、上述の図１に示した第１実施形態の３方向光分岐装置について、光多重／分離デバイス１１１Ａ，１１１Ｂ〜１１３Ａ，１１３Ｂの各ブランチポートＰ１，Ｐ２間を接続する各々の光路上に、伝搬する光信号のパワーを調整する可変光減衰器（ＶＯＡ）３１１１，３１１２，３１２１，３１２２，３１３１，３１３２をそれぞれ配置すると共に、各光ファイバペアＦ１，Ｆ２，Ｆ３に出力されるＷＤＭ信号光のスペクトルをモニタして各可変光減衰器を制御するための光スペクトルアナライザ（ＯＳＡ）３２１，３２２，３２３および制御回路（ＣＯＮＴ）３３１，３３２，３３３をそれぞれ設けたものである。
【００４５】
可変光減衰器３１１１，３１１２は、光ファイバペアＦ１の出力ファイバＯＵＴに接続された光多重／分離デバイス１１１Ｂの各ブランチポートＰ１，Ｐ２に繋がる光路上に設けられ、各々の光減衰量が光スペクトルアナライザ３２１のモニタ結果に応じて制御回路３３１により制御される。光スペクトルアナライザ３２１は、光多重／分離デバイス１１１ＢのコモンポートＰＣから光ファイバペアＦ１の出力ファイバＯＵＴに送出されるＷＤＭ信号光の一部を取り出して光スペクトルを検出し、その結果を制御回路３３１に出力する。制御回路３３１は、光スペクトルアナライザ３２１からの光スペクトル情報に基づいて、波長グループＧ１に属する光信号の平均パワーと、波長グループＧ２に属する光信号の平均パワーとが略等しくなるように、可変光減衰器３１１１，３１１２の各光減衰量をフィードバック制御する。
【００４６】
可変光減衰器３１２１，３１２２は、光ファイバペアＦ２の出力ファイバＯＵＴに接続された光多重／分離デバイス１１２Ｂの各ブランチポートＰ１，Ｐ２に繋がる光路上に設けられ、上記の可変光減衰器３１１１，３１１２と同様にして、各々の光減衰量が光スペクトルアナライザ３２２のモニタ結果に応じて制御回路３３２によりフィードバック制御される。また、可変光減衰器３１３１，３１３２については、光ファイバペアＦ３の出力ファイバＯＵＴに接続された光多重／分離デバイス１１３Ｂの各ブランチポートＰ１，Ｐ２に繋がる光路上に設けられ、各々の光減衰量が光スペクトルアナライザ３２３のモニタ結果に応じて制御回路３３３によりフィードバック制御される。光スペクトルアナライザ３２２，３２３および制御回路３３２，３３３は、前述した光スペクトルアナライザ３２１および制御回路３３１と同様のものである。
【００４７】
上記のような構成の３方向光分岐装置１０’では、６個の光多重／分離デバイス１１１Ａ，１１１Ｂ〜１１３Ａ，１１３Ｂにおける損失に有意な誤差が生じていたり、各光ファイバペアＦ１〜Ｆ３の入力ファイバＩＮから光パワーの異なるＷＤＭ信号光が光多重／分離デバイス１１Ａ〜１３Ａに入力されるような場合においても、各光多重／分離デバイス１１Ｂ〜１３Ｂから各光ファイバペアＦ１〜Ｆ３の出力ファイバＯＵＴに送られるＷＤＭ信号光を各光スペクトルアナライザ３２２〜３２３でモニタして波長グループＧ１，Ｇ２についての平均光パワーのアンバランスを検出し、そのアンバランスが補正されるように対応する可変光減衰器３１１１，３１１２〜３１３１，３１３２の光減衰量をフィードバック制御することによって、利用可能な波長帯域でパワーの揃ったＷＤＭ信号光を光ファイバペアＦ１〜Ｆ３の各出力ファイバＯＵＴに出力することができるようになる。これにより、各方向に対するＷＤＭ信号光の伝送を安定して行うことが可能になる。
【００４８】
なお、上記の第３実施形態では、可変光減衰器３１１１，３１１２〜３１３１，３１３２により各波長グループＧ１，Ｇ２の光信号のパワー調整を行う場合を示したが、可変光減衰器に代えて一般的な光増幅器を用いて光信号のパワーを調整するようにしてもよい。この場合、光増幅器の駆動状態が各制御回路３３１〜３３３によってフィードバック制御されることになる。
【００４９】
また、上記第３実施形態の変形例として、例えば図１５に示すように、光ファイバペアＦ１〜Ｆ３の各入力ファイバＩＮと各光多重／分離デバイス１１Ａ〜１３ＡのコモンポートＰＣとの間に光増幅器３４１〜３４３をそれぞれ設けて、光分岐装置１０’内の各光多重／分離デバイスおよび各可変光減衰器で生じる損失を補償するようにしてもよい。さらに、上記の光増幅器３４１〜３４３だけでなく、図１５中の点線で示したように、各光多重／分離デバイス１１Ｂ〜１３ＢのコモンポートＰＣと光ファイバペアＦ１〜Ｆ３の各出力ファイバＯＵＴとの間にも光増幅器３５１〜３５３をそれぞれ設けて、入力側および出力側の双方で損失の補償を行うようにしても構わない。
【００５０】
次に、本発明の第４実施形態による多方向光分岐装置について説明する。ここでは、上記第３実施形態の場合と同様に、ＷＤＭ信号光のパワーバランス制御を行う他の応用例について説明する。
【００５１】
図１６は、第４実施形態の多方向光分岐装置の構成図である。
図１６に示す多方向光分岐装置１０”は、例えば、上述の図１に示した第１実施形態の３方向光分岐装置について、光ファイバペアＦ１〜Ｆ３の各入力ファイバＩＮと各光多重／分離デバイス１１１Ａ〜１１３ＡのコモンポートＰＣとの間に光増幅器４１１，４１２，４１３をそれぞれ設けると共に、各々の光増幅器４１１〜４１３から出力されるＷＤＭ信号光のトータルパワーをモニタして各光増幅器４１１〜４１３の駆動状態を制御するための受光器（ＰＤ）４２１，４２２，４２３および制御回路（ＣＯＮＴ）４３１，４３２，４３３をそれぞれ設けたものである。
【００５２】
各制御回路４３１〜４３３は、各受光器４２１〜４２３でモニタされるＷＤＭ信号光のパワーが各方向に共通な所定のレベルで一定となるように、各々に対応する光増幅器４１１〜４１３の駆動状態のフィードバック制御を行う。
【００５３】
上記のような構成の光分岐装置１０”では、各光ファイバペアＦ１〜Ｆ３からそれぞれ入力されるＷＤＭ信号光のトータルパワーが異なる場合であっても、各ＷＤＭ信号光が対応する光増幅器４１１〜４１３で所定のレベルまで増幅されることにより、各々の光多重／分離デバイス１１１Ａ〜１１３ＡのコモンポートＰＣに与えられるＷＤＭ信号光のトータルパワーが略均一となる。光分岐装置１０”内の６個の光多重／分離デバイス１１１Ａ，１１１Ｂ〜１１３Ａ，１１３Ｂは、前述した第３実施形態の場合のように各々の損失にばらつきが生じる可能性もあるが、基本的には、同一のデバイスを使用可能であるので各々の損失を実質的に等しくすることが容易である。全ての光多重／分離デバイス１１１Ａ，１１１Ｂ〜１１３Ａ，１１３Ｂにおいて等しい損失が生じる場合、各光ファイバペアＦ１〜Ｆ３から入力されるＷＤＭ信号光のトータルパワーを均一に制御することで、各光多重／分離デバイス１１１Ａ，１１１Ｂ〜１１３Ａ，１１３Ｂを通過して各光ファイバペアＦ１〜Ｆ３に出力されるＷＤＭ信号光についても、各波長グループＧ１，Ｇ２のパワーバランスを均一にすることができる。また、光増幅器４１１〜４１３におけるＷＤＭ信号光の増幅により、光分岐装置１０”内で発生する損失の補償を行うことも可能である。
【００５４】
なお、各光多重／分離デバイス１１１Ａ，１１１Ｂ〜１１３Ａ，１１３Ｂにおける損失にばらつきが生じてしまう場合には、前述した第３実施形態の構成を第４実施形態にも適用することで、より高い精度でパワーバランスの制御を行うことが可能となる。また、光分岐装置１０”内で発生する損は、入力側に設けた光増幅器４１１〜４１３だけでなく、図１６中の点線で示したように、各光多重／分離デバイス１１Ｂ〜１３ＢのコモンポートＰＣと光ファイバペアＦ１〜Ｆ３の各出力ファイバＯＵＴとの間にも光増幅器４４１〜４４３をそれぞれ設けて、入力側および出力側の双方で補償するようにしてもよい。
【００５５】
以上、本明細書で開示した主な発明について以下にまとめる。
【００５６】
（付記１）波長多重信号光を互いに異なる方向に伝送する上り回線および下り回線に対応した一対の光路を有するＮ個（Ｎ≧３）の光伝送路に接続され、該各光伝送路の入力側光路から入力される波長多重信号光を、Ｎ−１個の波長グループにそれぞれ分離した後に、他の方向からの異なる波長グループの光信号と多重して所定の光伝送路の出力側光路に出力する多方向光分岐装置であって、
前記Ｎ個の光伝送路の入力側光路および出力側光路のいずれかと１対１で接続する１つのコモンポートと、Ｎ−１個のブランチポートとを有し、コモンポートに入力される波長多重信号光を各波長グループに分離して対応するブランチポートから出力すると共に、各ブランチポートに入力される各波長グループに属する光信号を多重してコモンポートから出力することが可能な２×Ｎ個の光多重／分離デバイスと、
予め設定した接続ルールに従って、前記２×Ｎ個の光多重／分離デバイスの各ブランチポート間を１対１で接続するブランチポート接続部と、
を備えて構成されたことを特徴とする多方向光分岐装置。
【００５７】
（付記２）付記１に記載の多方向光分岐装置であって、
前記ブランチポート接続部は、前記Ｎ個の光伝送路のうちの１つの光伝送路の入力側光路にコモンポートが接続された光多重／分離デバイスのブランチポートを、他の光伝送路の出力側光路にコモンポートが接続された光多重／分離デバイスのブランチポートと１対１で接続する第１の接続ルールと、同じ波長グループに対応したブランチポート同士を接続する第２の接続ルールと、前記Ｎ個の光伝送路のうちのいずれか２つを選択した組み合わせの全てについて、上り回線用の経路および下り回線用の経路がそれぞれ繋がるように各ブランチポート間を接続する第３の接続ルールとが同時に満たされるように、前記２×Ｎ個の光多重／分離デバイスの各ブランチポート間を１対１で接続することを特徴とする多方向光分岐装置。
【００５８】
（付記３）付記１に記載の多方向光分岐装置であって、
前記Ｎ−１個の波長グループは、上り回線に割り当てられる波長グループ内の光信号の波長数と、下り回線に割り当てられる波長グループ内の光信号の波長数とが等しくなるように設定されたことを特徴とする多方向光分岐装置。
【００５９】
（付記４）  付記１に記載の多方向光分岐装置であって、
前記各光多重／分離デバイスは、各ブランチポートにそれぞれ対応した光通過特性の各々の通過帯域内に含まれる波長の隣り合う複数の光信号を１つの波長グループとして、光信号の多重／分離を行うＷＤＭカプラを用いたことを特徴とする多方向光分岐装置。
【００６０】
（付記５）付記１に記載の多方向光分岐装置であって、
前記各光多重／分離デバイスは、各ブランチポートに対応して櫛歯状に周期的に変化する光通過特性を持ち、等波長間隔に配置された光信号を交互に多重／分離する光インターリーバを用いたことを特徴とする多方向光分岐装置。
【００６１】
（付記６）付記１に記載の多方向光分岐装置であって、
Ｎ≧４としたとき、前記各光多重／分離デバイスは、１つのコモンポートと２つのブランチポートを有する複数のデバイスをカスケード接続することによって、１つのコモンポートとＮ−１個のブランチポートが形成されるようにしたことを特徴とする多方向光分岐装置。
【００６２】
（付記７）付記６に記載の多方向光分岐装置であって、
前記ブランチポート接続部は、前記光多重／分離デバイスのカスケード接続により形成される物理的なブランチポートがＭ個（Ｍ＞Ｎ−１）となるとき、該Ｍ個のブランチポートのうちの２以上のブランチポートをグループ化して仮想的にＮ個のブランチポートと見なし、各々のブランチポート間の接続を行うことを特徴とする多方向光分岐装置。
【００６３】
（付記８）付記１に記載の多方向光分岐装置であって、
前記各光多重／分離デバイスの各々のブランチポート間を接続する光路上にそれぞれ設けられ、該光路を伝搬する光信号のパワーを調整する２×Ｎ個のパワー調整デバイスと、
前記各光多重／分離デバイスのコモンポートから前記光伝送路の出力側光路に出力される波長多重信号光の光スペクトルをそれぞれモニタする光スペクトルモニタ部と、
該各光スペクトルモニタ部のモニタ結果に応じて、前記各波長グループに属する光信号の平均パワーが略等しくなるように、前記各パワー調整デバイスをそれぞれ制御する制御部と、
を備えて構成されたことを特徴とする多方向光分岐装置。
【００６４】
（付記９）付記８に記載の多方向光分岐装置であって、
前記パワー調整デバイスは、可変光減衰器であることを特徴とする多方向光分岐装置。
【００６５】
（付記１０）付記８に記載の多方向光分岐装置であって、
前記パワー調整デバイスは、光増幅器であることを特徴とする多方向光分岐装置。
【００６６】
（付記１１）付記８に記載の多方向光分岐装置であって、
前記各光伝送路の入力側光路と、該入力側光路に接続する前記各光多重／分離デバイスのコモンポートとの間に光増幅器を備えたことを特徴とする多方向光分岐装置。
【００６７】
（付記１２）付記１１に記載の多方向光分岐装置であって、
前記各光伝送路の出力側光路と、該出力側光路に接続する前記各光多重／分離デバイスのコモンポートとの間に光増幅器を備えたことを特徴とする多方向光分岐装置。
【００６８】
（付記１３）付記１に記載の多方向光分岐装置であって、
前記各光伝送路の入力側光路と、該入力側光路に接続する前記各光多重／分離デバイスのコモンポートとの間に設けられたＮ個の光増幅器と、
該各光増幅器から出力される波長多重信号光のトータルパワーをそれぞれモニタする光パワーモニタ部と、
該各光パワーモニタ部でモニタされる波長多重信号光のトータルパワーが各方向に共通な所定のレベルで一定となるように、前記各光増幅器の駆動状態をそれぞれ制御する制御部と、
を備えて構成されたことを特徴とする多方向光分岐装置。
【００６９】
（付記１４）付記１３に記載の多方向光分岐装置であって、
前記各光伝送路の出力側光路と、該出力側光路に接続する前記各光多重／分離デバイスのコモンポートとの間に光増幅器を備えたことを特徴とする多方向光分岐装置。
【００７０】
（付記１５）付記１３に記載の多方向光分岐装置を光分岐ノードに使用したことを特徴とする波長多重光伝送システム。
【００７１】
【発明の効果】
以上説明したように本発明の多方向光分岐装置によれば、Ｎ方向に対応した光伝送路に対して、２×Ｎ個の光多重／分離デバイスを使用してＮ−１個の波長グループごとに光信号を分離および多重するようにしたことで、複雑な配線を行う必要がなくなるため、簡易な構成で低コストかつ低損失な光分岐装置を実現することが可能になる。また、装置内を伝搬する光信号は必ず２つの光多重／分離デバイスを通過するようになるので、各光伝送路の出力側光路に出力されるＷＤＭ信号光のパワーバランスを容易に取ることが可能になる。
【図面の簡単な説明】
【図１】本発明にかかる多方向光分岐装置の構成を示す図である。
【図２】本発明の第１実施形態による３方向光分岐装置を示す構成図である。
【図３】上記の第１実施形態においてＷＤＭカプラを使用した光多重／分離デバイスの機能を説明するための図である。
【図４】上記の第１実施形態においてＷＤＭカプラを使用した光多重／分離デバイスの光通過特性の一例を示す図である。
【図５】上記の第１実施形態において光インターリーバを使用した光多重／分離デバイスの機能を説明するための図である。
【図６】上記の第１実施形態において光インターリーバを使用した光多重／分離デバイスの光通過特性の一例を示す図である。
【図７】本発明の第２実施形態による４方向光分岐装置を示す構成図である。
【図８】上記の第２実施形態において光インターリーバを使用した光多重／分離デバイスの機能を説明するための図である。
【図９】上記の第２実施形態において光多重／分離デバイスを構成する前段のインターリーバの光通過特性の一例を示す図である。
【図１０】上記の第２実施形態において光多重／分離デバイスを構成する後段のインターリーバの光通過特性の一例を示す図である。
【図１１】上記の第２実施形態に関連した他の構成例を示す図である。
【図１２】図１１の構成例において光インターリーバを使用した光多重／分離デバイスの機能を説明するための図である。
【図１３】図１１の構成例において光多重／分離デバイスを構成する後段のインターリーバの光通過特性の一例を示す図である。
【図１４】本発明の第３実施形態による３方向光分岐装置を示す構成図である。
【図１５】上記の第３実施形態に関連した変形例を示す構成図である。
【図１６】本発明の第４実施形態による３方向光分岐装置を示す構成図である。
【図１７】光分岐ノードを有する一般的なＷＤＭ光伝送システムの概略構成を示す図である。
【図１８】従来の３方向光分岐装置の構成を示す図である。
【図１９】一般的なＷＤＭカプラの光通過特性の一例を示す図である。
【符号の説明】
１１Ａ〜１ＮＢ，１１１Ａ〜１１３Ｂ，２１１Ａ〜２１３Ｂ    光多重／分離デバイス
２，１２，２２    ブランチポート接続部
１０，１０’，１０”    ３方向光分岐装置
２０    ４方向光分岐装置
３１１１〜３１３２    可変光減衰器（ＶＯＡ）
３２１〜３２３    光スペクトルアナライザ（ＯＳＡ）
３３１〜３３３，４３１〜４３３    制御回路（ＣＯＮＴ）
３４１〜３４３，３５１〜３５３，４１１〜４１３，４４１〜４４３    光増幅器
４２１〜４２３    受光器（ＰＤ）
Ｆ１〜ＦＮ    光ファイバペア（光伝送路）
ＩＮ    入力ファイバ（入力側光路）
ＯＵＴ    出力ファイバ（出力側光路）
ＰＣ    コモンポート
Ｐ１〜ＰＮ−１    ブランチポート
【図１】
2004297714.tif 000007
【図２】
2004297714.tif 000008
【図３】
2004297714.tif 000009
【図４】
2004297714.tif 000010
【図５】
2004297714.tif 000011
【図６】
2004297714.tif 000012
【図７】
2004297714.tif 000013
【図８】
2004297714.tif 000014
【図９】
2004297714.tif 000015
【図１０】
2004297714.tif 000016
【図１１】
2004297714.tif 000017
【図１２】
2004297714.tif 000018
【図１３】
2004297714.tif 000019
【図１４】
2004297714.tif 000020
【図１５】
2004297714.tif 000021
【図１６】
2004297714.tif 000022
【図１７】
2004297714.tif 000023
【図１８】
2004297714.tif 000024
【図１９】
2004297714.tif 000025